(57)【要約】      （修正有）【課題】メールでの交際申し込みからお見合いデート交際に至る過程を段階的に進めていくことができる操作性のよい成婚支援用のメール送受信システムを提供する。【解決手段】メール送受信システム１に含まれる管理コンピュータ３は、会員登録のための登録案内情報、成婚を望む相手に開示するための氏名等の個人情報及びプロフィール情報を収集するためのエントリー案内情報を、成婚を望む複数の男女のユーザ側のユーザ端末１０Ａに対して提供するＷｅｂサーバと、成婚を望むユーザのユーザ端末１０Ａからの情報を収集し会員登録したユーザの個人情報及びプロフィール情報を個人別かつ男女別に蓄積するデータベースと、ユーザ端末１０Ａにデータベースに蓄積したユーザ別の個人情報及びプロフィール情報に関連付けたメール送受信用メールボックスを提供し、成婚を望む男女ユーザ間のメール交際による成婚支援を行うメールサーバとを有する。【選択図】図１
2009048365.tif 000002
【特許請求の範囲】
【請求項１】
成婚を望む複数の男女のユーザ側のユーザ端末と、前記ユーザ端末とインターネット網を介して接続される管理コンピュータと、を含む成婚支援用のメール送受信システムであって、
前記管理コンピュータは、
会員登録のための登録案内情報、成婚を望む相手に開示するための氏名等の個人情報及びプロフィール情報を収集するためのエントリー案内情報をユーザ端末に対して提供するＷｅｂサーバと、
成婚を望む複数のユーザのユーザ端末からの情報を収集し、会員登録したユーザの個人情報及びプロフィール情報を個人別、かつ、男女別に蓄積するデータベースと、
会員登録したユーザのユーザ端末に、データベースに蓄積したユーザ別の個人情報及びプロフィール情報に関連付けたメール送受信用メールボックスを提供し、成婚を望む男女ユーザ間のメール交際による成婚支援を行うメールサーバと、
を有することを特徴とする成婚支援用のメール送受信システム。
【請求項２】
成婚を望む複数の男女のユーザ側のユーザ端末及び電話と、前記ユーザ端末とインターネット網を介して接続される管理センター側の管理コンピュータ、及び、管理センター側のユーザ間電話処理装置と、を含む成婚支援用のメール送受信システムであって、
前記管理コンピュータは、
会員登録のための登録案内情報、成婚を望む相手に開示するための氏名等の個人情報及び趣味嗜好等のプロフィール情報を収集するためのエントリー案内情報をユーザ端末に対して提供するＷｅｂサーバと、
成婚を望む複数のユーザのユーザ端末からの情報を収集し、会員登録したユーザの個人情報及びプロフィール情報を個人別、かつ、男女別に蓄積するデータベースと、
会員登録したユーザのユーザ端末に、データベースに蓄積したユーザ別の個人情報及びプロフィール情報に関連付けるとともに、（申し込みフォルダー）、（返事待ちフォルダー）、（お相手からの申し込みフォルダー）、（メール交際中フォルダー）、（メール電話交際中フォルダー）、（メール電話写真交際中フォルダー）、（お見合いデート交際中フォルダー）を含むメール送受信用メールボックスを提供し、成婚を望む男女ユーザ間のメールでの交際申し込みからお見合いデート交際に至るメール交際を主とする成婚支援を行うメールサーバと、
を有することを特徴とする成婚支援用のメール送受信システム。
【請求項３】
成婚を望む複数の男女のユーザ側のユーザ端末及び電話と、前記ユーザ端末とインターネット網を介して接続される管理センター側の管理コンピュータ、及び、管理センター側のユーザ間電話処理装置と、を含む成婚支援用のメール送受信システムであって、
前記管理コンピュータは、
会員登録のための登録案内情報、成婚を望む相手に開示するための氏名等の個人情報及び趣味嗜好等のプロフィール情報を収集するためのエントリー案内情報をユーザ端末に対して提供するＷｅｂサーバと、
成婚を望む複数のユーザのユーザ端末からの情報を収集し、会員登録したユーザの個人情報及びプロフィール情報を個人別、かつ、男女別に蓄積するデータベースと、
会員登録したユーザのユーザ端末に、データベースに蓄積したユーザ別の個人情報及びプロフィール情報に関連付けるとともに、（申し込みフォルダー）、（返事待ちフォルダー）、（お相手からの申し込みフォルダー）、（メール交際中フォルダー）、（メール電話交際中フォルダー）、（メール電話写真交際中フォルダー）、（お見合いデート交際中フォルダー）を含むメール送受信用メールボックスを提供し、前記各フォルダーを順に利用することにより送受信済みメールの履歴及び特定の相手ユーザのプロフィール情報を順にフォルダー移動して交換日記風にキープし、成婚を望む男女ユーザ間のメールでの交際申し込みからお見合いデート交際に至るメール交際を主とする成婚支援を行うメールサーバと、
を有することを特徴とする成婚支援用のメール送受信システム。
【請求項４】
成婚を望む複数の男女のユーザ側のユーザ端末及び電話と、前記ユーザ端末とインターネット網を介して接続される管理センター側の管理コンピュータ、並びに、管理センター側のユーザ間電話処理装置及び手紙代行センターと、を含む成婚支援用のメール送受信システムであって、
前記管理コンピュータは、
会員登録のための登録案内情報、成婚を望む相手に開示するための氏名等の個人情報及び趣味嗜好等のプロフィール情報を収集するためのエントリー案内情報をユーザ端末に対して提供するＷｅｂサーバと、
成婚を望む複数のユーザのユーザ端末からの情報を収集し、会員登録したユーザの個人情報及びプロフィール情報を個人別、かつ、男女別に蓄積するデータベースと、
会員登録したユーザのユーザ端末に、データベースに蓄積したユーザ別の個人情報及びプロフィール情報に関連付けるとともに、（申し込みフォルダー）、（返事待ちフォルダー）、（お相手からの申し込みフォルダー）、（メール交際中フォルダー）、（メール電話交際中フォルダー）、（メール電話写真交際中フォルダー）、（お見合いデート交際中フォルダー）、（お断りしてごめんなさいフォルダー）及び（断られて残念フォルダー）を含むメール送受信用メールボックスを提供し、前記各フォルダーを順に利用することにより送受信済みメールの履歴及び特定の相手ユーザのプロフィール情報を順にフォルダー移動して交換日記風にキープし、成婚を望む男女ユーザ間のメールでの交際申し込みからお見合いデート交際に至るメール交際を主とする成婚支援を行うメールサーバと、
を有し、
更に、前記管理センター側の手紙代行センターによりユーザ間の手紙預かり配送サービスも行うようにしたこと、
を特徴とする成婚支援用のメール送受信システム。
【請求項５】
成婚を望む複数の男女のユーザ側のユーザ端末と、前記ユーザ端末とインターネット網を介して接続される管理コンピュータと、を含む成婚支援用のメール送受信システムに適用されるメール送受信プログラムであって、
予め管理コンピュータのデータベースに蓄積した会員登録したユーザ別の個人情報及びプロフィール情報に関連付けるとともに、（申し込みフォルダー）、（返事待ちフォルダー）、（お相手からの申し込みフォルダー）、（メール交際中フォルダー）、（メール電話交際中フォルダー）、（メール電話写真交際中フォルダー）、（お見合いデート交際中フォルダー）、（お断りしてごめんなさいフォルダー）及び（断られて残念フォルダー）を含むメール送受信用メールボックスをユーザ端末に提供する処理と、
ユーザ端末を操作するユーザが前記各フォルダーを順に利用することにより特定の相手ユーザとの送受信済みメールの履歴及び特定の相手ユーザのプロフィール情報を順にフォルダー移動してキープする処理と、
キープした特定の相手ユーザとの送受信済みメールの履歴を交換日記風にユーザ端末の画面に表示する処理と、
含むことを特徴とする成婚支援用のメール送受信プログラム。
【発明の詳細な説明】
【技術分野】
【０００１】
本発明は、新規な成婚支援用のメール送受信システム及び成婚支援用のプログラムに関するものである。
【背景技術】
【０００２】
一般に、結婚を望む男女に多くの異性との出会いの機会を提供し、成婚へと導く場として多くの結婚相談所が存在している。結婚を望む男女は、結婚相談所によるサービスの提供を受けるために、結婚相談所に会員登録し、個人情報を開示し、定期的にパーティー等の各種行事に出席して意中の相手を探し出し、成婚から結婚に至る過程を経て目的を達成している。
【０００３】
しかしながら、結婚相談所が行うこれらのサービスに従って意中の相手を探し出すためには、結婚相談所の担当者との面談、パーティー等の各種行事への出費を伴う出席等、煩雑であり、かつ、多くの時間と費用を必要とし、入会者にとって多くの負担を伴うものであった。
【０００４】
近年では、インターネット網の発展に伴い、結婚を望む男女が自己のパソコンを利用して異性との出会いを実現し、メール交換等を通じて意中の相手を探し出し、成婚へと導くシステムも提案されている。
【０００５】
例えば、特許文献１には、結婚を希望する男女が所有する各パソコンと、結婚情報の供給側の結婚情報に関するホームページを提供するＷｅｂサーバとをインターネットを介して接続し、結婚を希望する男女の個人情報をＷｅｂサーバ側に蓄積するとともに、適合する相手をマッチングさせる処理を行い、この後、適合する個人同士のメール交換、更にはチャット等を実行させて成婚へと導くように構成した結婚情報の供給システムが提案されている。
【０００６】
しかし、この特許文献１の場合、適合する個人同士の簡単なメール交換を主体とするにとどまるものである。
【特許文献１】特開２００２−２０３０３４号公報
【発明の開示】
【発明が解決しようとする課題】
【０００７】
本発明が解決しようとする問題点は、単純なメール交換ではなく、メールでの交際申し込みからお見合いデート交際に至る過程を、メール交際を主として段階的に進めていくことができる操作性のよい成婚支援用のメール送受信システムが存在しない点である。
【課題を解決するための手段】
【０００８】
本発明の成婚支援用のメール送受信システムは、成婚を望む複数の男女のユーザ側のユーザ端末と、前記ユーザ端末とインターネット網を介して接続される管理コンピュータと、を含む成婚支援用のメール送受信システムであって、前記管理コンピュータは、会員登録のための登録案内情報、成婚を望む相手に開示するための氏名等の個人情報及びプロフィール情報を収集するためのエントリー案内情報をユーザ端末に対して提供するＷｅｂサーバと、成婚を望む複数のユーザのユーザ端末からの情報を収集し、会員登録したユーザの個人情報及びプロフィール情報を個人別、かつ、男女別に蓄積するデータベースと、会員登録したユーザのユーザ端末に、データベースに蓄積したユーザ別の個人情報及びプロフィール情報に関連付けたメール送受信用メールボックスを提供し、成婚を望む男女ユーザ間のメール交際による成婚支援を行うメールサーバと、を有することを特徴とする。
【発明の効果】
【０００９】
請求項１記載の発明によれば、会員登録を経てメール交信を主とした異性との成婚に至るまでの交際を効率よく進めていくことができる操作性の良い成婚支援用のメール送受信システムを提供できる。
【００１０】
請求項２、３記載の発明によれば、メールでの交際申し込みから、返事待ち、お相手からの申し込み、メール交際中、メール電話交際中、メール電話写真交際中、お見合いデート交際中と、段階的に異性との成婚に至るまでの交際を進めていくことができる操作性の良い成婚支援用のメール送受信システムを提供できる。
【００１１】
請求項４記載の発明によれば、請求項３記載の発明と同様な効果を奏し、かつ、相手から断られた場合も明確に認識できるとともに、各ユーザ間の手紙交換の代行をも行うので、成婚を望む男女のユーザ間の交際の多様化を図ることができる成婚支援用のメール送受信システムを提供できる。
【００１２】
請求項５記載の発明によれば、請求項１乃至４の各発明におけるメール送受信処理を実現し得る成婚支援用のメール送受信プログラムを提供できる。
【発明を実施するための最良の形態】
【００１３】
本発明は、単純なメール交換ではなく、メールでの交際申し込みからお見合いデート交際に至る過程を、メール交際を主として段階的に進めていくことができる操作性のよい成婚支援用のメール送受信システムを提供するという目的を有するものである。
本発明は、上記目的を、成婚を望む複数の男女のユーザ側のユーザ端末及び電話と、前記ユーザ端末とインターネット網を介して接続される管理センター側の管理コンピュータ及び管理センター側のユーザ間電話処理装置と、を含む成婚支援用のメール送受信システムであって、前記管理コンピュータは、会員登録のための登録案内情報、成婚を望む相手に開示するための氏名等の個人情報及び趣味嗜好等のプロフィール情報を収集するためのエントリー案内情報をユーザ端末に対して提供するＷｅｂサーバと、成婚を望む複数のユーザのユーザ端末からの情報を収集し、会員登録したユーザの個人情報及びプロフィール情報を個人別、かつ、男女別に蓄積するデータベースと、会員登録したユーザのユーザ端末に、データベースに蓄積したユーザ別の個人情報及びプロフィール情報に関連付けるとともに、（申し込みフォルダー）、（返事待ちフォルダー）、（お相手からの申し込みフォルダー）、（メール交際中フォルダー）、（メール電話交際中フォルダー）、（メール電話写真交際中フォルダー）、（お見合いデート交際中フォルダー）を含むメール送受信用メールボックスを提供し、成婚を望む男女ユーザ間のメールでの交際申し込みからお見合いデート交際に至るメール交際を主とする成婚支援を行うメールサーバと、を有する構成により実現した。
【実施例】
【００１４】
以下に、本発明の実施例に係る成婚支援用のメール送受信システム及びプログラム並びに成婚支援用システムについて図面を参照して詳細に説明する。
【００１５】
（実施例１）
本実施例１に係る成婚支援用のメール送受信システム１は、図１に示すように、管理センター２に配置した成婚支援用の主としてメール送受信サービスを提供する管理コンピュータ３と、成婚を希望する会員ユーザが使用する複数のユーザ端末１０Ａ、１０Ｂ、・・・と、同じく成婚を希望する会員ユーザが使用する携帯電話１０と、管理コンピュータ３、ユーザ端末１０Ａ、１０Ｂ、・・・間の情報交信及びユーザ端末１０Ａ、１０Ｂ、・・・間の情報交信を実現するインターネット等の通信網４と、を含んでいる。
【００１６】
また、本実施例１に係る成婚支援用のメール送受信システム１は、前記携帯電話１０と通信網４との間に介在する携帯電話用アンテナ５、基地局６、携帯電話網７及び携帯電話会社サーバ８と、を含み、携帯電話１０と管理コンピュータ３間、携帯電話１０とユーザ端末１０Ａ、１０Ｂ、・・・間の情報交信をも実現するように構成している。
【００１７】
更に、本実施例１に係る成婚支援用のメール送受信システム１は、ユーザ端末１０Ａ、１０Ｂ、・・・側に電話１１Ａ、１１Ｂ、・・・を含み、管理センター２側の電話システムセンター１２に設置したユーザ間電話処理装置１３を含み、公衆電話網１４を通じてユーザ間電話処理装置１３を介しての前記電話１１Ａ、１１Ｂ・・・間の通話を可能な構成としている。
【００１８】
なお、図１では、ユーザ端末１０Ａ、１０Ｂの２台のみ及び電話１１Ａ、１１Ｂの２台のみを示すが、ユーザ端末の個数、電話の個数は図示例に限定されないことはもちろんである。前記携帯電話１０に関しても同様である。
【００１９】
次に、前記管理コンピュータ３について、図２を参照して説明する。この管理コンピュータ３は、通信網４に接続するためのルータ等の通信処理部２１と、Ｗｅｂ処理プログラムを搭載し、管理センター２からユーザ端末１０Ａ、１０Ｂ等へのトップページ、本入会会員案内ページ、プチ会員入会ページ、ユーザ用の登録フォーム、ユーザ用のエントリーページ等を提供するＷｅｂサーバ２２と、メール処理プログラムを搭載し、ユーザ端末１０Ａ、１０Ｂ又は携帯電話１０に関する各種のメール処理を行うとともに、詳細は後述するメールの送受信処理を行うメールサーバ２３と、各ユーザの個人情報等を男女別に、かつ、読み出し可能に記憶するデータベース２４と、管理センター２の担当者が操作する担当者端末２５と、本入会会員、プチ会員に対する課金処理を行う課金サーバ２６と、を有している。
【００２０】
更に、前記ユーザ間電話処理装置１３は、本会員（ユーザ）同士が管理センター２側で設定した電話システム用電話番号及びユーザ別の内線番号（ユーザＩＤ番号）を使用しての通話を可能としている。
【００２１】
なお、プチ会員とは、１カ月間限定の「お試し会員」を意味し、１カ月以内に本入会に切り替えなければ、強制退会処理となり、継続や延長はできない会員である。
【００２２】
次に、本実施例１に係る成婚支援用のメール送受信システム１の全体構成及び処理の流れについて場合を分けて説明する。
【００２３】
（１）Ｗｅｂサーバ２２によるユーザ端末１０Ａ、１０Ｂ、携帯電話１０へのサービス提供について
【００２４】
本実施例１に係る成婚支援用のメール送受信システム１においては、Ｗｅｂサーバ２２はユーザ端末１０Ａ等からの通信網４を通じてのアクセスによって、まず図４に示すようなトップページ、図５に示す継続頁等をユーザ端末１０Ａ等のブラウザ機能を利用してその画面に提供する。
【００２５】
ここで、ログインＩＤ、パスワードを有しない一般ユーザの場合には、図５に示す継続頁から名前、メールアドレスを入力することで、前記管理センター２が提供する更に詳細な案内ページの閲覧が可能となる。
【００２６】
そして、トップページの続きのページでＵＲＬ等を入力し、更に詳細な続きのページ下にある図示しない「特典入会案内」を開くと、図１３，図１４，図１５のプチ入会案内が提供される。
【００２７】
また、図１４下欄に示す「本入会案内」を開くと、図６、図７、図８に示す本入会案内画面が表示される。
【００２８】
次に、図６乃至図８に示すような本入会会員案内ページによる本入会処理について説明する。
【００２９】
本入会処理においては、ユーザ端末１０Ａを操作するユーザが、図６に示す本入会の案内ページから、性別、ふりがな、名前、電話番号、メールアドレス等々を入力し、１ケ月、３ヶ月等の希望コースを選択し、クレジットカードによる決済のための情報処理を行い、図８に示す案内ページから「今すぐ申し込む」をクリックする。
【００３０】
次に、前記管理コンピュータ３側でクレジット決済処理が行われ、クレジット決済が終わった人に、折り返し会員番号とパスワードを送信する。ユーザ端末１０Ａを操作するユーザは、これにより、登録フォーム及びエントリーボードの欄も記入する。
また、別途差引金額の銀行振込み、身分証、卒業照明書等の所要の証明書の郵送処理等も必要である。そして、差引金額又は書類提出が終わっていれば、審査に最大２日程度かかり、承認後本入会処理が完了となる。
【００３１】
また、上述したプチ会員入会処理は、ユーザが名前、電話番号等入力した後、５千円をクレジット決済し、免許証のコピー等をＦＡＸや電子メールで提出する。前記管理コンピュータ３側では、プチ会員入会申し込みをしたユーザを審査し、特に問題がなければ即日承認して入会処理が完了となる。
【００３２】
次に、図９乃至図１２を参照して、登録フォーム及びエントリー用ボードへの入力処理について説明する。
図９、図１０に示す登録フォームは、前記ユーザの個人情報（プロフィール）を収集し前記データベース２４に登録するためのものであり、ここでは、前記ユーザは、名前、生年月日、郵便番号、都道府県、市町村、番地、マンション名、電話番号、メールアドレス等の各項目を入力する。
【００３３】
これらの各入力項目は、基本的には非公開とされるが、その一部は公開されることになる。また、ユーザは、自己のお気に入り写真を登録フォームの該当箇所に貼り付ける。
【００３４】
更に、前記ユーザは、自己の履歴情報を入力するとともに、よくある話題の欄において、自己の趣味、喫煙の有無等の各種の情報を選択入力する。
【００３５】
続いて、前記ユーザは、図１０、図１１に示すエントリー用ボードの画面から、結婚後の住所、親との同居、収入、学歴等の各種のエントリー項目を希望・許容条件項目として選択する。更に、アンケート欄にも任意に必要項目を入力する。本実施例１に係る成婚支援用のメール送受信システム１において、このエントリー用ボードの記入内容は、結婚観の合わない人を最初の段階で除外することを目的として設けたものである。また、成婚を望むユーザにとっては、自己表現のツールとして機能するものである。
【００３６】
そして、図１１に示す画面に表示される「登録する」のボタンをクリックすることにより、上述した各情報はユーザ端末１０Ａから通信網４を経て管理コンピュータ３に送信され、データベース２４に登録される。
【００３７】
以上の処理により、前記ユーザ端末１０Ａの画面は図１２に示すように「マイページへ」のボタンを有するプロフィールの登録終了画面になり、ここで前記ユーザが「マイページへ」のボタンをクリックすると、以下に述べるマイページの画面が表示されることになる。上述したプロフィールの入力内容の具体例を図１６に示す。
【００３８】
次に、図１７を参照して前記ユーザ端末１０Ａの画面に表示されるマイページの画面について説明する。
【００３９】
このマイページの画面の主要な構成は、９個のメールフォルダー、新着メールＢＯＸ、後述するエントリーページへ誘導する「スタート」ボタン、本入会案内、本会員延長、登録内容確認・変更、写真登録変更、アドバイザーへ相談、事務局との相談の各ボタン、本日の反響欄等である。
【００４０】
前記９個のメールフォルダーは、（申し込みフォルダー１）、（返事待ちフォルダー２）、（お相手からの申し込みフォルダー３）、（メール交際中フォルダー４）、（メール電話交際中フォルダー５）、（メール電話写真交際中フォルダー６）、（お見合いデート交際中フォルダー７）、（お断りしてごめんなさいフォルダー８）及び（断られて残念フォルダー９）からなるものである。なお、本実施例１において、新着メールはマイページの白マド（一覧）に表示され、マウスクリックによりその詳細が表示されるように構成している。
【００４１】
次に、図１８、図１９を参照して前記ユーザが上述した「スタート」ボタンをクリックすることで前記ユーザ端末１０Ａの画面に表示されるエントリーボードの閲覧について説明する。図１８は初婚者を探すためのエントリーボードを、図１９は再婚者を探すためのエントリーボードを示すものである。
【００４２】
既述したような前記ユーザによるエントリー用ボードへの入力処理が、既述した場合と同様にして成婚を望む複数の男女のユーザによって行われることで、管理コンピュータ３のデータベース２４には男女別に、かつ、各々２３項目にわたってエントリー内容が蓄積される。
【００４３】
図２２は、ユーザがエントリー用ボードへの入力処理に際して、結婚後の住居、親との同居等、希望・許容条件６項目について、その度合いを点数付けしたものを示すものである。この点数付けは、ユーザの価値観を数値により客観的に表現するためのものである。
【００４４】
また、女性のユーザが例えば前記ユーザ端末１０Ｂから、図１８に示す初婚者を探すためのエントリーボードにおける男性欄の「東京に嫁いできませんか」の欄をクリックした結果、そのユーザ端末の画面に表示される検索結果の例を図２０に示す。
【００４５】
更に、図２０に示す検索結果のうちの所望の欄をユーザ端末１０Ｂを操作してクリックすると図２１に示すようなエントリー済でメールでの交際を希望する特定のユーザの具体的な個人情報、すなわち、名前、年齢、履歴情報、自己ＰＲ、相手に臨むこと、自己紹介、写真等を含む個人情報がユーザ端末１０Ｂの画面に表示される。
なお、断ったり、断られたり、ドライに活動するために、上記段階における名前は仮名であり、また上記段階での写真は当該当人以外のその本人のお気に入り写真（風景写真等）である。従って、この段階においては、当該本人が告げない限り、匿名で活動することになる。
【００４６】
同時に、この画面には「申し込みフォルダー１にキープする」、「メールボックスを開く」のボタンも表示される。
【００４７】
ここで、ユーザ端末１０Ｂを操作し、「申し込みフォルダー１にキープする」をクリックすると、ユーザ端末１０Ｂの画面に表示された特定のユーザの個人情報が前記ユーザ端末１０Ｂにおける申し込みフォルダー１にキープされる。また、「メールボックスを開く」のボタンをクリックすると、図２３等に示すメールボックスがユーザ端末１０Ｂの画面に表示される。
【００４８】
（２）ユーザ間のメール送受信処理
次に、図３、既述した図１７に示すマイページ及び図２３乃至図３１を参照して本実施例１に係る成婚支援用のメール送受信システム１におけるメール送受信処理について説明する。
【００４９】
なお、以下の説明では、ユーザ端末１０Ａを操作するのは本入会会員（本会員）であり、かつ、上述したようなエントリーを行った男性ユーザ、ユーザ端末１０Ｂを操作するのは本入会会員（本会員）であり、かつ、上述したようなエントリーを行った女性ユーザであるものとする。
【００５０】
図２３は、既述したエントリー処理が終了した後、ユーザ端末１０Ａの画面に図１７に示すマイページを表示した状態において（ステップＳ１）、（申し込みフォルダー１）をクリック（ステップＳ２）したとき、前記メール処理プログラムによりその画面に表示されるメールボックス中の申し込みフォルダー１の表示内容を示すものである。
【００５１】
申し込みフォルダー１の表示内容は、件名欄、本文入力欄、申し込みフォルダー１にキープしたメール交際を希望する特定のユーザのプロフィール等である。
【００５２】
ユーザ端末１０Ａを操作するユーザは、この申し込みフォルダー１に関する画面を見ながら、前記特定のユーザに対する付き合いを希望するメールを送信する。すなわち、件名欄にドロップダウン方式で「メールでお付き合いしませんか」と入力し、本文入力欄に「はじめまして、わたくしたろうと申します。・・・・・」と入力し、「メールを送信する」ボタンをクリックしてメールを送信する（ステップＳ３）。
【００５３】
これにより、ユーザ端末１０Ａから通信網４を経て、特定のユーザ側のユーザ端末１０Ｂに対してメールが送信される。
【００５４】
また、ユーザ端末１０Ａを操作するユーザが（返事待ちフォルダー２）をクリックする（ステップＳ４）ことにより、ユーザ端末１０Ａの（返事待ちフォルダー２）には、前記メール処理プログラムにより、上述したような送信済のメール内容及び特定のユーザのプロフィールがキープ（移動）され（ステップＳ５）、その画面には、図２４に示すように前記ユーザ端末１０Ｂに送信したメール内容が送受信履歴として表示される（ステップＳ６）。同時に、ユーザ端末１０Ａの画面には、次のメール送信用の送信用ボックスも表示される。更に、特定のユーザのプロフィールも表示される。
【００５５】
次に、（お相手からの申し込みフォルダー３）には、前記メール処理プログラムにより唐突に誰かに申し込まれた場合にのみ、その申し込みメールがキープされる（ステップＳ７）。本実施例においては、ユーザ端末１０Ａを操作するユーザ（男性）が、前記ユーザ端末１０Ｂを操作するユーザ（女性）に申し込んでいるので、そのユーザのユーザ端末１０Ｂにおける（お相手からの申し込みフォルダー３）にユーザ端末１０Ａからのメールがキープされる。
【００５６】
次に、前記ユーザ端末１０Ｂを操作するユーザ（女性）が付き合いを承諾するメールを前記ユーザ端末１０Ａに送信すれば、前記メール処理プログラムによりユーザ端末１０Ｂからの付き合いを承諾するメール内容がユーザ端末１０Ａにおける（返事待ちフォルダー２）に送られ、さらに（メール交際中フォルダー４）に移動する（ステップＳ８）。一方、前記ユーザ端末１０Ｂにおいては、前記メール処理プログラムにより上述したユーザ端末１０Ａからの申し込みのメール及び付き合いを承諾するメールの内容がお相手からの申し込みフォルダー３）から（メール交際中フォルダー４）に移動する。
【００５７】
一方、ユーザ端末１０Ａにおいて、例えばユーザ端末１０Ｂ（女性側）のドロップダウンメニューにある定型件名（お付き合いＯＫです。）のようなお相手からのメールによる申し込みが有る場合には、前記メール処理プログラムにより前記ユーザ端末１０Ａの画面には、上述したような送信済のメール内容の上欄に図２６に示すようにお相手からのメール内容が表示される（ステップＳ９）。なお、前記定型件名の具体例については後に述べる。
【００５８】
図２６はユーザ端末１０Ｂを操作するユーザ（女性）であるお相手からのメールによる申し込みが有る場合において、ユーザ端末１０Ａを操作するユーザが、（メール交際中フォルダー４）をクリック（ステップＳ１０）した状態を示すものである。
【００５９】
このように（メール交際中フォルダー４）に、お相手からのメールでのお付き合いを望むメールが届いたら、ユーザ端末１０Ａを操作するユーザ（男性）とユーザ端末１０Ｂを操作するユーザ（女性）との間でメール交際が始まる（ステップＳ１１）。
【００６０】
図２７は、前記両ユーザ間におけるメール交際が開始した後、前記両ユーザ間で更に電話での交際を望むメール交換をした場合（ステップＳ１２）の（メール電話交際中フォルダー５）の表示内容を示すものであり、この場合も、前記メール処理プログラムにより（メール電話交際中フォルダー５）に過去に送受信したメール内容が日付順にキープ（移動）され（ステップＳ１３）、また、特定のユーザのプロフィールもキープ（移動）される。
【００６１】
図２８は、前記両ユーザ間におけるメール電話交際が開始した後、両ユーザ間において写真交換を望むメール交換をした場合（ステップＳ１４）の（メール電話写真交際中フォルダー６）の表示内容を示すものであり、この場合も、前記メール処理プログラムにより（メール電話写真交際中フォルダー６）に過去に送受信したメール内容が日付順にキープされ（移動し）（ステップＳ１５）、また、特定のユーザのプロフィールもキープ（移動）されている。
【００６２】
図２９は、前記両ユーザ間におけるメール電話写真交際が開始した後、両ユーザ間においてお見合いデート交際を望むメール交換をした場合（ステップＳ１６）の（お見合いデート交際中フォルダー７）の表示内容を示すものであり、この場合も前記メール処理プログラムにより（お見合いデート交際中フォルダー７）に上述した各メール交際過程で送受信した各メール内容が日付順にキープ（移動し）され（ステップＳ１７）、また、特定のユーザのプロフィールもキープ（移動）される。
【００６３】
図３０は、例えばユーザ端末１０Ａを操作するユーザが別のユーザからのメール交際申し込みメール受信し、お断りをした場合の（お断りしてごめんなさいフォルダー８）の表示内容を示すものである。
【００６４】
図３１は、例えばユーザ端末１０Ａを操作するユーザが別のユーザにメール交際申し込みメールを送信し、お断りのメールを受診した場合の（断られて残念フォルダー９）の表示内容を示すものである。
【００６５】
図３２は、前記ユーザ間電話処理装置１３により各ユーザの電話１１Ａ、１１Ｂ・・・に提供する電話システムの内容を示すものであり、この電話システムは、トップメニューを始めとして、前記電話システム用電話番号及びユーザ別の内線番号（ユーザＩＤ番号）を使用しての各ユーザ間のお話しサービス、留守番電話サービス、メッセージ録音サービス、お知らせサービス等を行うように構成している。
なお、上記段階では、当該本人の本当の電話番号を教え合わなくても、匿名な仮の電話でやり取りするようにしても良い。
【００６６】
上述した本実施例１に係る成婚支援用のメール送受信システム１によれば、成婚を望むユーザは、例えばユーザ端末１０Ａの画面に表示される図１７に示すマイページにおける例えば９個のメールフォルダー、すなわち、（申し込みフォルダー１）、（返事待ちフォルダー２）、（お相手からの申し込みフォルダー３）、（メール交際中フォルダー４）、（メール電話交際中フォルダー５）、（メール電話写真交際中フォルダー６）、（お見合いデート交際中フォルダー７）を使用して、エントリー済の特定の異性のユーザのユーザ端末１０Ｂとの間で、メールでの交際申し込みからお見合いデート交際メールの交換に至る一連の成婚に至るまでの処理を効率よく行い、最適の結婚相手を得ることができる。
【００６７】
この場合に、例えばユーザ端末１０Ａを操作するユーザは、メール送信画面の件名欄にドロップダウン方式で予め定められた所要の事項を簡略に入力することができ、操作が極めて簡略である。
【００６８】
また、例えばユーザ端末１０Ａを操作するユーザは、メールでの交際申し込みからお見合いデート交際メールの交換に至る一連のメール交換を特定の異性のユーザのユーザ端末１０Ｂとの間で行った場合に、送受信済のメール内容及び特定の異性のユーザのプロフィールが、（申し込みフォルダー１）、（返事待ちフォルダー２）、（お相手からの申し込みフォルダー３）、（メール交際中フォルダー４）、（メール電話交際中フォルダー５）、（メール電話写真交際中フォルダー６）、（お見合いデート交際中フォルダー７）の順に次々とフォルダー内を移動してキープされ、恰も交換日記風に画面表示されるので、特定の異性のユーザとのメールでの交際履歴を何時でも読み返し思い出すことができ、交際履歴内容の推移の確認を簡略に、かつ、容易に行うことができる。
【００６９】
この点は、単に過去のメール内容を一件ずつ開いて確認する従来型のメール交換システムとは顕著に相違する本実施例１に係る成婚支援用のメール送受信システム１の特徴の一つである。
【００７０】
更に、本実施例１に係る成婚支援用のメール送受信システム１によれば、メールでの交際申し込みから、返事待ち、お相手からの申し込み、メール交際中、メール電話交際中、メール電話写真交際中、お見合いデート交際中と、段階的に、異性との成婚に至るまでの交際を進めていくことができ、自己に最も合った結婚相手を効率よく探し出すことができる。
【００７１】
本実施例１に係る成婚支援用のメール送受信システム１の特徴を総括すれば、メールでの交際申し込みから、返事待ち、お相手からの申し込み、メール交際中、メール電話交際中、メール電話写真交際中、お見合いデート交際中と順序を追って成婚へのプロセスを歩むことができることである。すなわち、メール交際を端緒として意気投合したと？出会い、性格、価値観、諸事情等々を相互によく理解し、会話に花を咲かせる過程を経て、成婚へと結びつけることができ、これにより、成婚の可能性は１００％に近いものとすることができる。
この点、従来型のお見合いに始まる成婚へのプロセスにおいて、全く知らない人と出会い、緊張しながら「はじめまして」と挨拶し、打ち解ける間もなく気まずく時間が過ぎ、そのまま別れてしまうというようなケースと顕著に異なるものである。
【００７２】
なお、以上の各処理はユーザ端末１０Ａ、１０Ｂを使用する場合の他、前記携帯電話１０を使用するユーザについても同様に行われ、同様の作用、効果を発揮させることができる。
【００７３】
（実施例２）
次に、本発明の実施例２に係る成婚支援用のメール送受信システム１Ａについて図３２、図３３を参照して説明する。
【００７４】
本発明の実施例２に係る成婚支援用のメール送受信システム１Ａは、基本的構成は図１に示す実施例１に係る成婚支援用のメール送受信システム１の場合と同様であるが、管理センター２側に管理コンピュータ３、ユーザ間電話処理装置１３の他に、本会員のみが利用可能なお手紙配送システム（無料）を構成する手紙代行センター３１を配置し、各ユーザ間の手紙交換をも行うようにしたことが特徴である。
【００７５】
なお、図３２において、図１に示す実施例１に係る成婚支援用のメール送受信システム１の場合と同一要素には、同一符号を付して示す。
【００７６】
図３３は、手紙代行センター３１が行うお手紙配送システムの概略内容を示すものであり、或るユーザから手紙代行センター３１へ異性の相手方への手紙を郵送するとともに、その旨を手紙代行センター３１へメール送信し、手紙代行センター３１が異性の相手方へ当該手紙の代行郵送（転送）を行うものである。
【００７７】
本実施例２に係る成婚支援用のメール送受信システム１Ａによれば、実施例１に係る成婚支援用のメール送受信システム１の場合と同様な作用、効果を発揮し得るとともに、各ユーザ間の手紙交換をも行うシステムとしているので、成婚を望む男女のユーザ間の交際の多様化を図り、自己に最も合った結婚相手を効率よく探し出すための支援をより充実させることができる。
【００７８】
次に、実施例１、実施例２に係る成婚支援用のメール送受信システム１、１Ａにおける具体的処理機能の具体例を列記する。
【００７９】
Ａ．トップページ
１．ログインID、パスワードでマイページに入れる。
２．ログインID、パスワードを忘れた場合、忘れた方にメールで再通知される。
３．「レターのつづき読みたい方」がアドレス等入力して、返信メールに添付されたＵＲＬからつづきが読める。
４．エントリーページから全項目（初婚・再婚、男女）をクリックして、それぞれのページが開かれる。
５．それぞれのページで、承認前はダミープロフィールデータ1名分を表示する。
【００８０】
Ｂ  申込み・登録
６．プチ入会フォームから申込み及びクレジット決済ができる。
７．いきなり本入会フォームから申込み及びクレジット決済ができる。
８．プチ会員が、プロフィールの全項目に入力ができる。
９．いきなり本会員が、プロフィールの全項目に入力ができる。
10．エントリー項目に点数が入れられる。
11．エントリー項目のチェックボックスに（例  登録処理又はエントリー処理）できる数が８つに制限されている。
（希望条件３つまで、許容条件は制限無し、最大８つまで）
12．70点以上を付けた項目にしかエントリーできない。
13．必須項目未記入の場合、記入してくださいと赤い字で表示され、登録できない。
【００８１】
Ｃ  マイページのメールとフォルダー
14．1〜７のメールフォルダーを開き、定型件名でのメール送受信ができる。
15．件名内容に応じてフォルダーが移動する。
16．８のメールフォルダーで、お断り解除ボタンを押すと、お断りした所のフォルダーに戻る。
17．会員メールボックスから、「下書きのまま閉じる」をクリックして、下書き保存できる。
18．新着メールボックスに新着メールが届く。
19．新着をクリックして内容を見た後は、新着メールボックスから削除される。
20．新着メールを見た後は、件名に応じたフォルダーに収納される。
21．フォルダー７の「お見合い決定連絡」「お見合い結果報告」「成婚報告」が送信できる。
22．事務局との連絡で、メールの送受信ができる。
23．アドバイザーとの連絡で、メールの送受信ができる。
【００８２】
Ｄ  マイページの機能
24．入会承認前のマイページ機能制限がある。
Ｅ  プチ会員の場合
(1)１から９までのすべてのメールフォルダーが使えない。
(2)アドバイザーへの相談はクリックしても開かない。
(3)事務局への連絡は、全件名が使える。
(4)本会員延長ボタンは表示しない（または開かない）。
Ｆ  いきなり本会員の場合
(1)１から９までのすべてのメールフォルダーが使えない。
(2)アドバイザーへの相談はクリックしても開かない。
(3)事務局への連絡は、全件名が使える。
(4)本入会案内ボタンは表示しない（または開かない）。
25．入会承認後、マイページ機能制限が解除される（プチ入会、本会員）。
26．入会承認後、プロフィールがアップされる。
27．お気に入り写真登録・変更（アップロード）ができる。
28．顔・全身写真登録・変更（アップロード）ができる。
29．「登録内容確認・変更」から、確認・変更できる。
30．「登録内容確認・変更」から、変更できない項目があり、修正できないようになっている。
31．「本日の反響」が表示される。
32．「会員有効期限」が表示される。
33．前回ログインした日時が表示される。
34．プチ会員が「本入会申込み」できる。
35．本会員が「延長の申込み」できる。
36．ログアウトして、トップページに戻れる。
【００８３】
Ｇ  エントリーページ（マイページのスタートボタンから入る）
37．同性の会員一覧は、開かないようになっている（またはダミー表示する）。なお、同姓の会員一覧は、年収・学歴・職業の３項目を伏せた実データー（例えば本人の趣味等）が表示されるが、更なる詳細プロフィールへは行けないようになっている。
38．異性の項目をクリックすると、会員の実データ一覧を表示する。
39．一覧画面上にある検索機能が使える。
40．会員の実データ一覧の「詳細を表示」をクリックして、詳細プロフィールを表示する。
41．会員のメールボックスを開き、「お申込みフォルダー１にキープする」をクリックしてマイページのフォルダー１に収納できる。
42．会員のメールボックスを開き、定型件名「メールでお付き合い…」を出し、マイページのフォルダーに収納できる。
【００８４】
次に、実施例１、実施例２に係る成婚支援用のメール送受信システム１、１Ａにおけるメールのやりとりと、前記各フォルダー［（申し込みフォルダー１）、（返事待ちフォルダー２）、（お相手からの申し込みフォルダー３）、（メール交際中フォルダー４）、（メール電話交際中フォルダー５）、（メール電話写真交際中フォルダー６）、（お見合いデート交際中フォルダー７）、（お断りしてごめんなさいフォルダー８）及び（断られて残念フォルダー９）］の自動移動パターンの具体例を図３５に示す。
【００８５】
次に、実施例１、実施例２に係る成婚支援用のメール送受信システム１、１Ａにおけるユーザ端末１０Ａ又はユーザ端末１０Ｂのドロップダウンメニューにある各種定型件名の具体例を図３６に示す。
【産業上の利用可能性】
【００８６】
本発明の成婚支援用のメール送受信システムは、インターネットを利用することで、日本全国の成婚を望む男女のユーザに幅広く適用して成婚への支援を行うことは勿論、更に英語等の外国語版を構成することにより、広範な国際的成婚支援用のメール送受信システムとして応用可能である。
【図面の簡単な説明】
【００８７】
【図１】本発明の実施例１に係る成婚支援用のメール送受信システムの概略構成図である。
【図２】本実施例１に係る成婚支援用のメール送受信システムにおける管理センターの構成を示すブロック図である。
【図３】本実施例１に係る成婚支援用のメール送受信システムにおけるメール送受信処理の流れを示すフローチャートである。
【図４】本実施例１に係る成婚支援用のメール送受信システムにおけるＷｅｂサーバがユーザ端末に提供するトップページを示す概略図である。
【図５】本実施例１に係る成婚支援用のメール送受信システムにおけるＷｅｂサーバがユーザ端末に提供するトップページに継続するページを示す概略図である。
【図６】本実施例１に係る成婚支援用のメール送受信システムにおけるＷｅｂサーバがユーザ端末に提供する本入会案内ページを示す概略図である。
【図７】本実施例１に係る成婚支援用のメール送受信システムにおけるＷｅｂサーバがユーザ端末に提供する本入会案内ページに継続するページを示す概略図である。
【図８】本実施例１に係る成婚支援用のメール送受信システムにおけるＷｅｂサーバがユーザ端末に提供する本入会案内ページに継続するページを示す概略図である。
【図９】本実施例１に係る成婚支援用のメール送受信システムにおけるＷｅｂサーバがユーザ端末に提供する登録フォームのページを示す概略図である。
【図１０】本実施例１に係る成婚支援用のメール送受信システムにおけるＷｅｂサーバがユーザ端末に提供する登録フォームの継続ページを示す概略図である。
【図１１】本実施例１に係る成婚支援用のメール送受信システムにおけるＷｅｂサーバがユーザ端末に提供する登録フォームの継続ページを示す概略図である。
【図１２】本実施例１に係る成婚支援用のメール送受信システムにおけるＷｅｂサーバがユーザ端末に提供するプロファイル登録完了ページを示す概略図である。
【図１３】本実施例１に係る成婚支援用のメール送受信システムにおけるＷｅｂサーバがユーザ端末に提供するプチ会員入会案内ページを示す概略図である。
【図１４】本実施例１に係る成婚支援用のメール送受信システムにおけるＷｅｂサーバがユーザ端末に提供するプチ会員入会案内ページの継続ページを示す概略図である。
【図１５】本実施例１に係る成婚支援用のメール送受信システムにおけるＷｅｂサーバがユーザ端末に提供するプチ会員入会完了ページを示す概略図である。
【図１６】本実施例１に係る成婚支援用のメール送受信システムにおけるユーザのプロフィールの具体的情報の一例を示す図である。
【図１７】本実施例１に係る成婚支援用のメール送受信システムにおけるマイページを示す概略図である。
【図１８】本実施例１に係る成婚支援用のメール送受信システムにおけるエントリーボード（初婚者）を示す概略図である。
【図１９】本実施例１に係る成婚支援用のメール送受信システムにおけるエントリーボード（既婚者）を示す概略図である。
【図２０】本実施例１に係る成婚支援用のメール送受信システムにおけるエントリーボード（初婚者）の検索結果例を示す概略図である。
【図２１】本実施例１に係る成婚支援用のメール送受信システムにおけるメール交際を希望するユーザのプロフィールを示す概略図である。
【図２２】本実施例１に係る成婚支援用のメール送受信システムにおけるメール交際を希望するユーザのプロフィールの各項目に点数付けした例を示す概略図である。
【図２３】本実施例１に係るユーザ端末の画面に表示されるメールボックスの申し込みフォルダー１の内容を示す概略図である。
【図２４】本実施例１に係るユーザ端末の画面に表示される返事待ちフォルダーの内容を示す概略図である。
【図２５】本実施例１に係るユーザ端末の画面に表示されるお相手からの申し込みフォルダーの内容を示す概略図である。
【図２６】本実施例１に係るユーザ端末の画面に表示されるメール交際中フォルダーの内容を示す概略図である。
【図２７】本実施例１に係るユーザ端末の画面に表示されるメール電話交際中フォルダーの内容を示す概略図である。
【図２８】本実施例１に係るユーザ端末の画面に表示されるメール電話写真交際中フォルダーの内容を示す概略図である。
【図２９】本実施例１に係るユーザ端末の画面に表示されるお見合いデート交際中フォルダーの内容を示す概略図である。
【図３０】本実施例１に係るユーザ端末の画面に表示されるお断りしてごめんなさいフォルダーの内容を示す概略図である。
【図３１】本実施例１に係るユーザ端末の画面に表示されるようにした断られて残念フォルダーの内容を示す概略図である。
【図３２】本実施例１に係る成婚支援用のメール送受信システムにおける電話システムの処理内容を示す説明図である。
【図３３】本発明の実施例２に係る成婚支援用のメール送受信システムの概略構成図である。
【図３４】本実施例２に係る成婚支援用のメール送受信システムにおけるお手紙配送システムの概略説明図である。
【図３５】本発明の実施例１、実施例２に係る成婚支援用のメール送受信システムにおけるユーザ端末間のメールのやりとりと、各フォルダーの自動移動パターンの具体例を示す説明図である。
【図３６】本発明の実施例１、実施例２に係る成婚支援用のメール送受信システムにおけるユーザ端末のドロップダウンメニューにある各種定型件名を示す説明図である。
【図３７】本発明の実施例１、実施例２に係る成婚支援用のメール送受信システムにおけるユーザ端末のドロップダウンメニューにある各種定型件名を示す説明図である。
【符号の説明】
【００８８】
１    メール送受信システム
１Ａ  メール送受信システム
２    管理センター
３    管理コンピュータ
４    通信網
５    携帯電話用アンテナ
６    基地局
７    携帯電話網
８    携帯電話会社サーバ
１０    携帯電話
１０Ａ  ユーザ端末
１０Ｂ  ユーザ端末
１１Ａ  電話
１１Ｂ  電話
１２    電話システムセンター
１３    ユーザ間電話処理装置
１４    公衆電話網
２１    通信処理部
２２    Ｗｅｂサーバ
２３    メールサーバ
２４    データベース
２５    担当者端末
２６    課金サーバ
３１    手紙代行センター
【図１】
2009048365.tif 000003
【図２】
2009048365.tif 000004
【図３】
2009048365.tif 000005
【図４】
2009048365.tif 000006
【図５】
2009048365.tif 000007
【図６】
2009048365.tif 000008
【図７】
2009048365.tif 000009
【図８】
2009048365.tif 000010
【図９】
2009048365.tif 000011
【図１０】
2009048365.tif 000012
【図１１】
2009048365.tif 000013
【図１２】
2009048365.tif 000014
【図１３】
2009048365.tif 000015
【図１４】
2009048365.tif 000016
【図１５】
2009048365.tif 000017
【図１６】
2009048365.tif 000018
【図１７】
2009048365.tif 000019
【図１８】
2009048365.tif 000020
【図１９】
2009048365.tif 000021
【図２０】
2009048365.tif 000022
【図２１】
2009048365.tif 000023
【図２２】
2009048365.tif 000024
【図２３】
2009048365.tif 000025
【図２４】
2009048365.tif 000026
【図２５】
2009048365.tif 000027
【図２６】
2009048365.tif 000028
【図２７】
2009048365.tif 000029
【図２８】
2009048365.tif 000030
【図２９】
2009048365.tif 000031
【図３０】
2009048365.tif 000032
【図３１】
2009048365.tif 000033
【図３２】
2009048365.tif 000034
【図３３】
2009048365.tif 000035
【図３４】
2009048365.tif 000036
【図３５】
2009048365.tif 000037
【図３６】
2009048365.tif 000038
【図３７】
2009048365.tif 000039